(57)【要約】【課題】  小形化をなした点灯装置内蔵形の蛍光ランプを提供し、器具コストの低減を図ることが可能な照明器具を提供する。【解決手段】  略環状の放電路の両端部に電極１１ａ、１１ａを有する発光管１１と；発光管１１を点灯制御する回路部品１６を実装すると共に、一部の部品の一部を落とし込んで支持するための凹部１７ｂを有してなる配線基板１７と；配線基板１７を収容し、一端側で発光管１１を支持すると共に他端側に回路部品１６に電源を供給する電気端子部１４、１４を設けたケース１２と；を具備する構成とする。【選択図】        図１
2006173030.tif 000002
【特許請求の範囲】
【請求項１】
略環状の放電路の両端部に電極を有する発光管と；
発光管を点灯制御する回路部品を実装すると共に、一部の部品の一部を落とし込んで支持するための凹部を有してなる配線基板と；
配線基板を収容し、一端側で発光管を支持すると共に他端側に回路部品に電源を供給する電気端子部を設けたケースと；
を具備することを特徴とする蛍光ランプ。
【請求項２】
前記回路部品をバラスト巻線となしたことを特徴とする請求項１に記載の蛍光ランプ。
【請求項３】
前記配線基板の盤面が発光管軸線方向に略平行になるように配置したことを特徴とする請求項１または２に記載の蛍光ランプ。
【請求項４】
略環状の放電路の両端部に電極を有すると共に、封止部から突出する細管チップを設けた発光管と；
発光管を点灯制御する回路部品を実装した配線基板と；
配線基板を収容し、一端側で発光管を支持すると共に他端側に回路部品に電源を供給する電気端子部を設けたケースとを具備し；
前記配線基板の端部を、発光管の細管チップ端部より封止部側に配置したことを特徴とする蛍光ランプ。
【請求項５】
前記配線基板を、発光管の電極に接続される一対のワイヤー間に配置したことを特徴とする請求項１ないし４いずれか一に記載の蛍光ランプ。
【請求項６】
請求項１ないし５いずれか一に記載の蛍光ランプを具備することを特徴とする照明器具。
【発明の詳細な説明】
【技術分野】
【０００１】
本発明は、略環状の放電路を備えた発光管を有する蛍光ランプ及び蛍光ランプを使用した照明器具に関する。
【背景技術】
【０００２】
従来、例えば下記の特許文献１に示されるように、発光管の形状を略Ｕ字形に屈曲したり、２本の直管形のガラス管端部を相互に接合し略Ｈ字形にするなどの構成により環状の放電路を形成した、いわゆるコンパクト形の蛍光ランプが普及している。
【０００３】
この種の蛍光ランプは、発光管の両端にフィラメント電極を封入し、１個の口金が取付けられた片口金形の蛍光ランプとして構成され、面状をなして光が平面的に広がるので照度分布が均一化でき、さらに照明器具としての薄型化に有利なため、卓上スタンド、ベースライト、ダウンライトなどの面光源として広く使用されている。
【０００４】
一方、この種の蛍光ランプにおいては、ランプを点灯制御する点灯装置は蛍光ランプに設置されておらず、器具側に設置され、照明器具としては高価なインバータ等からなる点灯装置を内蔵した構成となって、器具コストが上昇する要因となり、特に近年では店舗等のリニューアルが頻繁に行われる状況から、如何に器具コストの低減を図るかが重要な課題となっている。
【０００５】
このため、高価な点灯装置を器具側に設けずに、ランプ側に内蔵させた蛍光ランプを光源として使用する方法がある（例えば、特許文献２、特許文献３）。
【０００６】
特許文献２に示されるものは、屈曲形のバルブの一端部を収納ケースに挿入して保持させ、収納ケース内に点灯装置の回路基板を収納し、ケースカバーに受電ピンを設ける構成となし、点灯装置を内蔵した、いわゆる片口金のコンパクト形の蛍光ランプを構成したものである。
【０００７】
特許文献３に示されるものは、点灯装置を、発光管と口金の間に設けられたケース内に収納して構成した、いわゆる電球形の蛍光ランプと称されるものである。
【特許文献１】特開平８−１７３３５号公報
【特許文献２】特開平６−２８３１３９号公報
【特許文献３】特開２００３−２５７３７４公報
【発明の開示】
【発明が解決しようとする課題】
【０００８】
これら、点灯装置内蔵形の蛍光ランプを使用すれば、器具コストの低減を図ることが可能となるが、一方近年では省電力、省スペース等から蛍光ランプ自体の小形化が要求され、発光管がより一層小形化されている。
【０００９】
発光管の小形化に合わせ、発光管を支持し点灯装置を収容するためのケースも小形にして、蛍光ランプ全体の小形化をなす必要がある。
【００１０】
特に、発光管の管外径がより小となり、小径の発光管に合わせてケースの高さ寸法をより小となし薄型化を図って蛍光ランプ全体の小形化を達成する必要がある。少なくとも発光管の管外径寸法と略同等の高さ寸法に構成することが要求されている。
【００１１】
ケースの薄型化を達成するためには、ケース内に収容される点灯装置を小形にする必要がある。
【００１２】
点灯装置の小形化のためには、ケースの高さ寸法を決める要因となっている回路部品の大きさ、特に各部品の高さ寸法を極力小さくする必要がある。
【００１３】
回路部品は、プリント基板からなる配線基板の上面もしくは上下両面に実装され、近年ではかなりチップ化され小形化されていが、現状では点灯回路を構成するバラスト巻線や電解コンデンサ等、チップ化が困難な部品があり、この高さ寸法の比較的に大きなバラスト巻線や電解コンデンサ等が、ケースの薄型化を制限している。
【００１４】
特に、片口金のコンパクト形の蛍光ランプは、発光しないケース部分が発光管に連続して同一平面に位置しているために、照明器具の光源として設置した場合、発光部分が片側にしかなく、発光しないケース部分が暗部となり照度分布が不均一となる傾向があり、ケースは薄型化のみでなく、縦、横の寸法も小となす必要がある。
【００１５】
また、電球形の蛍光ランプにおいても、省電力化のために既存の白熱電球の代替使用を促すため、如何に白熱電球に近似させた形状、大きさにするかが課題となっており、点灯装置を収容するケースの小形化は重要な要素となっている。
【００１６】
このため、この種の点灯装置内蔵形の蛍光ランプにおいて、ケースは薄型化のみでなく縦、横の寸法も合わせて極力小となす必要があり、点灯装置を収容するケースの小形化を如何にして達成するかが重要な課題となっている。
【００１７】
本発明は、上述した従来の問題、課題に鑑みてなされたもので、小形化をなした点灯装置内蔵形の蛍光ランプを提供し、器具コストの低減を図ることが可能な照明器具を提供することを目的とする。
【課題を解決するための手段】
【００１８】
請求項１に記載の蛍光ランプの発明は、略環状の放電路の両端部に電極を有する発光管と；発光管を点灯制御する回路部品を実装すると共に、一部の部品の一部を落とし込んで支持するための凹部を有してなる配線基板と；配線基板を収容し、一端側で発光管を支持すると共に他端側に回路部品に電源を供給する電気端子部を設けたケースと；を具備することを特徴とする。
【００１９】
請求項１の発明によれば、回路部品を実装すると共に、一部の部品の一部を落とし込んで支持するための凹部を有してなる配線基板により、小形化をなした点灯装置内蔵形の蛍光ランプが構成される。
【００２０】
本発明において、発光管は、一本の発光管を略Ｕ字形に屈曲したもの、複数本の直管形のガラス管端部を相互に接合し略Ｈ字形に連結したもの、さらには発光管を屈曲または連結等して、円形、楕円形、多角形、矩形等の平面形状に構成したもの、連続した蛇行状に形成したもの、スパイラル状に巻いたもの等、略環状の放電路の両端部に電極を有して略環状をなす形状に構成したもの全てを許容する。
【００２１】
回路部品を実装すると共に、一部の部品の一部を落とし込んで支持するための凹部を有してなる配線基板は、配線基板の回路部品を設けた盤面に貫通する穴、切欠き等の凹部を形成し、この凹部に回路部品を貫通させるように挿入して配置するようにしても、さらに凹部となる穴、切欠き等は貫通する構成ではなく、穴、切欠き等の底面に底が形成された構成となし、この穴、切欠き等に部品を挿入して収納するようにしてもよい。
【００２２】
要は、凹部の形状、構成には限定されず、一部の部品の一部を落とし込んで支持するための凹部、全てを許容するものである。
【００２３】
凹部に一部を落とし込んで支持される回路部品は、蛍光ランプの小形化に支障となる比較的大きなバラスト巻線や電解コンデンサを配置することが好ましいが、他の部品を配置してもよく、さらに、これら例示した部品や特定の部品のみを配置することを意味するのではなく、点灯回路を構成する部品が選択されて配置されても、また選択されずに略全ての部品が配置されるようにしてもよく、蛍光ランプの小形化に寄与する全ての部品を包含するものである。
【００２４】
回路部品は好適には発光管を高周波点灯する電子点灯回路を構成するものである。この場合の具体的な部品は、商用電源電圧を整流するダイオード、平滑用の電解コンデンサ、スイッチング素子としてのトランジスタまたは電界効果形トランジスタ、共振兼バラスト巻線、共振用のコンデンサ、スイッチング制御用の部品等である。
【００２５】
ケースは、単一のケースで構成されていても、例えば、配線基板を収容するための箱状をなした第１のケースと、第１のケースの開口部を覆うための第２のケース等、複数に分割して構成してもよい。
【００２６】
さらに、上記のように複数に分割されたケースの場合、配線基板を収容する第１のケースの一端側及び他端側に、発光管及び電気端子部をそれぞれ設けることが好ましいが、例えば、電気端子部は配線基板を収容する第１のケースに設け、発光管の支持部は蓋体となる第２のケースに設ける等してもよく、発光管の支持部及び電気端子部は、複数の分割されたケースのいずれか一方に設けられていればよい。
【００２７】
要は、単一のケース、または複数に分割されたケースが組み立てられ一体化されたケース等、ケースの形状、構成には限定されず、一端側で発光管を支持すると共に他端側に電気端子部を設けたケース、全てを許容する。
【００２８】
ケースに設けられる電気端子部は、ピン状若しくはＬ字形等に突出する雄形の端子が好ましいが、凹状の受け端子をなした雌形端子でもよく、電気的な接続機能をなす全ての手段を許容する。
【００２９】
また、電気端子部をケースに設ける構成は、ケースに例えばピン状の端子が合成樹脂からなるケースに一体に埋め込み成形され、ケースに直接固定されるものであっても、またケースにはピン状の端子が貫通する小孔を設け、この小孔に、別途の部品、例えば配線基板等に固定されたピン状の端子を挿通させてケースからピンを突出させるような、直接固定ではなく、間接的に電気端子部がケースに設けられるようなものであってもよく、要は、回路部品に電源を供給するように、直接もしくは間接的に電気端子部がケースに設けられている構成等の全てを許容する。
【００３０】
請求項２に記載の発明は、請求項１に記載の蛍光ランプにおいて、前記回路部品をバラスト巻線となしたことを特徴とする。
【００３１】
請求項２の発明によれば、バラスト巻線の一部を落とし込んで支持するための凹部を有してなる配線基板により、小形化をなした点灯装置内蔵形の蛍光ランプが構成される。
【００３２】
請求項３に記載の発明は、請求項１または２に記載の蛍光ランプにおいて、前記配線基板の盤面が発光管軸線方向に略平行になるように配置したことを特徴とする。
【００３３】
請求項３の発明によれば、配線基板の盤面が発光管軸線方向に略平行になるように配置し、小形化をなした点灯装置内蔵形の蛍光ランプが構成される。
【００３４】
請求項４に記載の蛍光ランプの発明は、略環状の放電路の両端部に電極を有すると共に、封止部から突出する細管チップを設けた発光管と；発光管を点灯制御する回路部品を実装した配線基板と；配線基板を収容し、一端側で発光管を支持すると共に他端側に回路部品に電源を供給する電気端子部を設けたケースとを具備し；前記配線基板の端部を、発光管の細管チップ端部より封止部側に配置したことを特徴とする。
【００３５】
請求項４の発明によれば、配線基板の端部を、発光管の細管チップ端部より封止部側に配置し、小形化をなした点灯装置内蔵形の蛍光ランプが構成される。
【００３６】
本発明において、発光管の細管チップは、排気用の細管チップでも、補助アマルガム等を収容するための細管チップであってもよく、さらに、電極を有する封止部から突出しても、電極を有しない封止部から突出したものでもよく、細管チップの機能、突出する位置は特に限定されず、発光管の封止部から突出する全ての細管チップを許容する。
【００３７】
請求項５に記載の発明は、請求項１ないし４いずれか一に記載の蛍光ランプにおいて、前記配線基板を、発光管の電極に接続される一対のワイヤー間に配置したことを特徴とする。  
【００３８】
請求項５の発明によれば、配線基板を、発光管の電極に接続される一対のワイヤー間に配置し、小形化をなすと共に、電気絶縁を施した点灯装置内蔵形の蛍光ランプが構成される。
【００３９】
本発明において、配線基板を、発光管の電極に接続される一対のワイヤー間に配置する方式は、発光管の封止部から所定の間隔を有して導出された一対のワイヤーの根本の間に配線基板の端部を配置し、ワイヤーの根本部分を含めて配線基板により電気絶縁するようにすることが好ましいが、配線基板をワイヤーの根本の間に配置することは必要条件でなく、一対のワイヤーそれぞれを配線基板の表裏に分けるように折り曲げ、一対のワイヤーが配線基板により隔離され電気絶縁がなされるように構成してもよい。
【００４０】
要は配線基板を一対のワイヤー間に配置することにより、ワイヤー間の電気絶縁をなす全ての構成を許容する。
【００４１】
電気絶縁を確実にするために、上記に構成にしたワイヤーに、さらに電気絶縁チューブやテープ等を被覆することも許容する。
【００４２】
請求項６に記載の照明器具の発明は、請求項１ないし５いずれか一に記載の蛍光ランプを具備することを特徴とする。
【００４３】
請求項６の発明によれば、器具コストの低減を図ることが可能な照明器具が構成される。
【発明の効果】
【００４４】
請求項１の発明によれば、回路部品を実装すると共に、一部の部品の一部を落とし込んで支持するための凹部を有してなる配線基板により、小形化をなした点灯装置内蔵形の蛍光ランプを提供することができる。
【００４５】
請求項２の発明によれば、バラスト巻線の一部を落とし込んで支持するための凹部を有してなる配線基板により、小形化をなした点灯装置内蔵形の蛍光ランプを提供することができる。
【００４６】
請求項３の発明によれば、配線基板の盤面が発光管軸線方向に略平行になるように配置し、小形化をなした点灯装置内蔵形の蛍光ランプを提供することができる。
【００４７】
請求項４の発明によれば、配線基板の端部を、発光管の細管チップ端部より封止部側に配置し、小形化をなした点灯装置内蔵形の蛍光ランプを提供することができる。
【００４８】
請求項５の発明によれば、配線基板を、発光管の電極に接続される一対のワイヤー間に配置し、小形化をなすと共に、電気絶縁を施した点灯装置内蔵形の蛍光ランプを提供することができる。
【００４９】
請求項６の発明によれば、器具コストの低減を図ることが可能な照明器具を提供することができる。
【発明を実施するための最良の形態】
【００５０】
以下、本発明に係る蛍光ランプ及び照明器具の実施形態について説明する。
【実施例１】
【００５１】
図１〜図４は、本発明の第一の実施形態である蛍光ランプを示し、図１は一部を開放して示した斜視図、図２は一部を切り欠いて示す正面図、図３は図２のＡ−Ａ線に沿う断面図、図４は図２のＢ−Ｂ線に沿う断面図。
【００５２】
図５は従来と本実施形態におけるケースの大きさを比較するための説明図で、（ａ）は従来例、（ｂ）は本実施形態である。
【００５３】
図６は、本発明の第一の実施形態である照明器具を示し、天井面に設置された照明器具を概略的に示した断面図である。
【００５４】
図７は、本実施形態の変形例である蛍光ランプの要部を示す断面図。
【００５５】
図８は、本実施形態の他の変形例である蛍光ランプ示し、（ａ）は蛍光ランプの側面図、（ｂ）は蛍光ランプを（ａ）の状態から分割した状態を示す側面図。
【００５６】
図９は、本実施形態のさらに他の変形例である蛍光ランプ示し、（ａ）は蛍光ランプの側面図、（ｂ）は蛍光ランプを（ａ）の状態から分割した状態を示す側面図。
【００５７】
図１０は、本実施形態のさらに他の変形例である蛍光ランプの電気端子部を、一部を切り欠いて概略的に示す説明図。
【００５８】
図１１は、本実施形態のさらに他の変形例である蛍光ランプの電気端子部を、一部を切り欠いて概略的に示す説明図。
【００５９】
まず、本実施形態の蛍光ランプの構成につき説明する。
【００６０】
１０は蛍光ランプで、発光管１１とケース１２及びケース１２内に収容される点灯装置１３で構成される。
【００６１】
発光管１１は、透明な無鉛ガラスよりなる１本の直管のガラス管を、略Ｕ字形に屈曲して環状の放電路を構成し、ガラス管の内面には例えば３波長の蛍光体膜を形成する。
【００６２】
ガラス管は、６〜１８ｍｍの管外径を有するものから選択され、本実施形態では約１２ｍｍのガラス管を用いている。
【００６３】
ガラス管の両端部には、電極１１ａ、１１ａがピンチシールにより封止された封止部１１ｂ、１１ｂを形成する。
【００６４】
封止部１１ｂ、１１ｂには、排気用の細管チップ１１ｃ、１１ｃが発光管の軸線ａに沿い、封止部の端面略中央から突出して形成される。この細管チップ内に補助アマルガム等を封入してもかまわない。
【００６５】
さらに、封止部１１ｂ、１１ｂからは、電極１１ａ、１１ａに接続される一対、二組のワイヤー、すなわちリードワイヤー１１ｄ、１１ｄが４本気密にして導出される。
【００６６】
発光管１１内には、アルゴン（Ａｒ）とクリプトン（Ｋｒ）の混合ガス等からなる希ガスを封入する。ネオン（Ｎｅ）を封入してもかまわない。
【００６７】
上記により、全体として平面視が略Ｕ字形の面状光源をなす発光管１１が構成される。
【００６８】
上記のように構成された発光管１１は、ケース１２に組み込まれて蛍光ランプ１０を構成する。
【００６９】
すなわち、ケース１２は第１のケース１２ａと第２のケース１２ｂからなる。
【００７０】
第１のケース１２ａは、上部に開口部１２ｃを有し、縦断面形状が略小判形状をなし、舟底状の底面を有する箱体で、ポリブチレンテレフタノール（ＰＢＴ）などの耐熱性でかつ耐光性を有する電気絶縁性の合成樹脂で構成する。
【００７１】
第２のケース１２ｂは、第１のケース１２ａの開口部１２ｃを塞ぐ縦断面が略コ字状の蓋体をなし、第１のケースと同材質の合成樹脂で構成する。
【００７２】
箱状をなす第１のケース１２ａの一端側に、発光管１１の支持部となる２個の円形貫通孔で構成した支持孔１２ｄ、１２ｄを形成する。
【００７３】
支持孔１２ｄ、１２ｄの直径は、発光管１１の管外径と略同等か若干大きな寸法に形成する。
【００７４】
この支持孔１２ｄ、１２ｄには、発光管両端の封止部１１ｂ、１１ｂが挿入され、封止部１１ｂ、１１ｂの外面と支持孔１２ｄ、１２ｄの周辺に耐熱性の接着剤等を塗布して発光管１１を支持し固定する。
【００７５】
この際、図４に示すように、発光管１１の細管チップ１１ｃ、１１ｃが略中央に位置し、チップを挟んで上下に一対のリードワイヤー１１ｄ、１１ｄが位置するように配置する。
【００７６】
さらに、第１のケース１２ａの他端側には、電源供給用の電気端子部を構成する一対の端子ピン１４、１４が２本突出して設けられる。
【００７７】
端子ピン１４、１４は導電性金属よりなり、第１のケース１２ａの樹脂成形時に一体成形されて支持される。
【００７８】
第１のケース１２ａの他端側側面には、一対の端子ピン１４、１４の間に位置して、端子ピンと平行に突出するガイド突起部１５を一体に形成する。
【００７９】
ガイド突起部１５は、後述する照明器具のソケットに蛍光ランプを装着する際のガイド機能をなすもので、突起部の内部に中空部１５ａを形成する。
【００８０】
点灯装置１３は、発光管１１を点灯制御するための点灯回路を構成する回路部品１６と、回路部品を実装してケース１２内に収容され支持される配線基板１７で構成する。
【００８１】
配線基板１７は、略長方形状をなしたプリント基板等からなり、各回路部品１６が配線基板の盤面１７ａに対して垂直方向に搭載され実装される。
【００８２】
回路部品１６は、発光管１１をインバータ等を用いて高周波点灯する点灯回路を構成するための部品で、商用電源電圧を整流するダイオード、平滑用の電解コンデンサ、スイッチング素子としてのトランジスタまたは電界効果形トランジスタ、共振兼バラスト巻線、共振用のコンデンサ、スイッチング制御用の部品等の電子部品で構成する。
【００８３】
回路部品１６の内、高さ寸法の比較的大きな部品である平滑用の電解コンデンサ１６ａは、その端子が配線基板１７の端部に垂直方向に実装した後に略直角に折り曲げ、第１のケース１２ａに形成されたガイド突起部１５内面の空間部１５ａ内に収納する。
【００８４】
次に大きな部品である共振兼用のバラスト巻線１６ｂは、配線基板の盤面１７ａの略中央部分に形成した凹部、本実施形態では貫通して形成した設置穴１７ｂに、部品の一部分である下方の部分を落とし込んで挿入し、バラスト巻線１６ｂの上下部分が配線基板１７の表裏にわたるように配置する。
【００８５】
換言すれば、バラスト巻線１６ｂの下方の部分が配線基板１７の下面から突出し、バラスト巻線１６ｂの上方の部分が配線基板１７の上面から突出するようにして支持する。
【００８６】
したがって、比較的高さ寸法の大きなバラスト巻線１６ｂであっても、配線基板の盤面１７ａから上方に突出する寸法が少なくなり、第１のケース１２ａの高さ寸法を小さくでき、ケース１２全体の薄型化をなすように構成される。
【００８７】
ちなみに、図５（ａ）に示すように、配線基板１７の盤面１７ａの表面にバラスト巻線１６ｂを支持した従来の構成では、ケース１２の高さ寸法ｈ１が約２４ｍｍ必要であるが、図５（ｂ）に示す本実施形態では、ケース１２の高さ寸法ｈ２を約１８．７５ｍｍに構成することができた。
【００８８】
バラスト巻線１６ｂは、その端子１６ｃが予め逆Ｌ字状に屈曲され、その垂直部分を配線基板１７の端子部分に挿入して実装する。この構成によりバラスト巻線１６ｂが凹部である設置穴１７ｂ内に、一部を落とし込んで支持される。
【００８９】
他の小さな回路部品１６は、配線基板１７の表面、一部は裏面に実装される。
【００９０】
上記のように各回路部品１６を実装した配線基板１７は、第１のケース１２ａ内に収容され、鋲止め、または耐熱性の接着剤等の手段で固定され支持される。
【００９１】
この際、配線基板１７は、回路部品１６を実装した盤面１７ａが、発光管軸線ａの方向に略平行で、かつ回路部品が発光管軸線ａと略直交する方向に露出するようにして、第1のケースの開口部１２ｃから見えるように配置すると共に、配線基板１７の裏面と第１のケース底面との間に空間部Ｓを有するようにして収容する。
【００９２】
さらに、配線基板１７の出力側となる端部１７ｃは、発光管１１の封止部１１ｂ、１１ｂに突出して設けられた細管チップ１１ｃ、１１ｃの上面に載せ、上下に間隔を有して導出された一対のリードワイヤー１１ｄ、１１ｄの根本の間に挿入して設置する。
【００９３】
これにより、配線基板１７の端部１７ｃが、発光管１１の細管チップ１１ｃ、１１ｃの先端部より封止部１１ｂ、１１ｂ側に配置され、配線基板１７の長手方向への突出長が短くなり、発光管１１とケース１２を含めた長手方向の寸法が長くならないようにしている。
【００９４】
本実施形態では、図５（ａ）に示すように、配線基板１７の端部１７ｃを、細管チップ１１ｃ、１１ｃの上面に載せずに配置した従来構成のケース１２の横寸法、すなわち長手方向の寸法Ｓ１に対し、図５（ｂ）に示す本実施形態のケース１２長手方向の寸法Ｓ２を、細管チップ１１ｃ、１１ｃの突出長さ分、約１０ｍｍ短くすることができた。
【００９５】
さらに、一対のリードワイヤー１１ｄ、１１ｄが、配線基板１７を挟んで配線基板の盤面１７ａによって上下に隔離され、各ワイヤー間の電気絶縁を施すようになっている。
【００９６】
各一対のリードワイヤー１１ｄ、１１ｄは、配線基板１７の出力端子部に接続される。
【００９７】
この際、配線基板１７の表面または裏面に露出する各一対のリードワイヤー１１ｄ、１１ｄに、電気絶縁チューブやテープ等を被覆して、より確実に電気絶縁を図るようにしてもよい。
【００９８】
さらに、配線基板１７の入力側となる端部１７ｄは、第１のケース１２ａの端子ピン１４、１４に対向して配置され、各端子ピン１４，１４と配線基板の入力端子部がワイヤー１７ｅ、１７ｅにより接続される。
【００９９】
上記のように点灯装置１３を構成する配線基板１７を収容したケース１２は、蓋体となる第２のケース１２ｂを第１のケース１２ａの開口部１２ｃに嵌めこみ、耐熱性の接着剤等の手段で固定して閉塞される。
【０１００】
次に、上記のように構成した蛍光ランプの組み立て手順につき説明する。
【０１０１】
まず、配線基板１７には、上述したように回路部品１６を実装する。
【０１０２】
また、蓋体である第２のケース１２ｂは、第１のケース１２ａの開口部１２ｃから外して開放した状態にする。
【０１０３】
次に、第１のケース１２ａを作業台に開口部１２ｃが上面になるように設置し、一端側に形成された支持孔１２ｄ、１２ｄに発光管１１の封入部１１ｂ、１１ｂを挿入し、さらに位置決めを行い接着剤で固定する。
【０１０４】
電極１１ａ、１１ａの一対のリードワイヤー１１ｄ、１１ｄは、第１のケース１２ａの内側に導出させておく。
【０１０５】
次に、予め回路部品が実装された配線基板１７を用意し、その入力側に折り曲げられ突出した状態で実装された電解コンデンサ１６ａを、第１のケース１２ａに形成されたガイド突起部１５の空間部１５ａ内に挿入して収納する。
【０１０６】
さらに、第１のケース１２ａの他端側に設けられた端子ピン１４、１４と配線基板１７の入力端子部とをワイヤー１７ｅ、１７ｅを用いて半田付けを行い接続する。
【０１０７】
次に、図４に示すように、配線基板１７の出力側となる端部１７ｃを、発光管１１の封止部１１ｂ、１１ｂに突出して設けられた細管チップ１１ｃ、１１ｃの上面に載せ、上下に間隔を有して導出された一対のリードワイヤー１１ｄ、１１ｄの根本の間に挿入する。
【０１０８】
次に、一対２組のリードワイヤー１１ｄ、１１ｄの内、配線基板１７の上方に位置するリードワイヤーを、配線基板１７の上面の出力端子部に上方から垂直方向から挿入し半田付けを行い固定する。
【０１０９】
さらに、配線基板１７の下方に位置するリードワイヤー１１ｄ、１１ｄを配線基板１７下面の出力端子部に下方から垂直方向に挿入し半田付けを行い固定する。
【０１１０】
上記のように、入力端子部が端子ピン１４、１４に、出力端子部端が発光管１１に接続された状態の配線基板１７を、回路部品１６が実装された盤面１７ａが、発光管１１の軸線ａ方向に略平行で、かつ開口部１２ｃに面するようにして、ケース内に押込み、側面視で配線基板１７がケース内の中間部分よりやや上方に位置し、ケースの底面との間に空間部Ｓが形成されるように配置し、配線基板１７の裏面四隅とケース内面に接着剤を塗布して固定する。
【０１１１】
この際、配線基板１７の裏面（下面）側に突出するバラスト巻線１６ｂの下部がケースの底面に接触しない位置で、配線基板１７が第１のケース１２ａ内に収容される。
【０１１２】
次に、蓋体となる第２のケース１２ｂを第１のケース１２ａの開口部１２ｃに嵌めこみ、接着剤で固定して開口部１２ｃを閉塞する。
【０１１３】
上記のように構成された蛍光ランプ１０は、発光管１１の先端からケース１２のガイド突起部１５頂点までのランプ全体の長さ寸法Ｌ１が約３３５ｍｍに構成され、点灯装置１３を内蔵し回路損失を含めたランプ電力が１８Ｗ、全光束が１２００ルーメン（ｌｍ）以上で、電源接続用の一対の端子ピン１４、１４を有するコンパクト形の蛍光ランプとして構成される。
【０１１４】
上記のように構成された蛍光ランプ１０は、照明器具に設けられたソケットに挿入されて、各種の照明器具の光源として使用される。
【０１１５】
図６に示すように、２０は店舗等の天井面Ｘに設置されたダウンライト式照明器具で、下面に開口部２１ａを有する金属製の箱状をなした本体ケース２１と、本体ケースの開口部２１ａに嵌合される金属性の反射体２２で構成する。
【０１１６】
反射体２２は、例えばステンレス等の金属板で構成し、その反射面２２ａは鏡面塗装、白色光沢塗装、反射シートなどで鏡面または梨地等に仕上げ、下面周囲に飾り枠２２ｂを一体に形成する。
【０１１７】
反射体２２の側面板２２ｃの中央部分には、ソケット２３を設ける。
【０１１８】
ソケット２３には、上述した蛍光ランプ１０のガイド突起部１５が挿入される受けガイド及び端子ピン１４，１４が挿入され電源に接続される受け端子が設けられている。
【０１１９】
このソケットに１灯の蛍光ランプ１０を挿入して端子ピン１４、１４と受け端子を接続し、点灯装置を内蔵した１灯のコンパクト形の蛍光ランプを有するダウンライト式照明器具２０として構成される。
【０１２０】
上記に構成された照明器具は、発光管１１を点灯するための点灯装置１３は蛍光ランプ１０が内蔵しており、この照明器具２０には、従来の一般的な器具とは異なって高価な点灯装置を設置する必要はなく、器具としては比較的安価な本体ケース２１、反射体２２、ソケット２３等の部品で構成されコストを低減した安価な照明器具として構成される。
【０１２１】
さらに、蛍光ランプ１０としては、発光に寄与しないケース部分を小形にしたので、器具に組み込んだ場合に暗部が形成され難くなり、照度分布が均一化される照明器具として構成される。
【０１２２】
本実施形態では、発光管１１を、１本の直管のガラス管を略Ｕ字形に屈曲して略環状の放電路を構成したが、２本の直管部の端部を互に加熱・溶融して突起穴を形成し、この突起穴の開口同士をつなぎ合わせて略Ｈ字形で略環状の放電路をなす面状光源を構成してもよい。
【０１２３】
本実施形態では、部品の一部を落とし込んで支持するための凹部として、配線基板の盤面１７ａの略中央部分に貫通して形成した設置穴１７ｂとなし、この設置穴１７ｂにバラスト巻線１６ｂの一部分である下方の部分を落とし込んで挿入し支持したが、図７に示すように盤面１７ａに形成する設置穴は貫通する穴ではなく、穴の底面に底が形成された設置穴１７ｂ'となし、この穴にバラスト巻線１６ｂの一部分である下方の部分を落とし込んで挿入し、回路部品であるバラスト巻線１６ｂの上下部分が配線基板１７の表裏にわたるように配置されるようにしてもよい。
【０１２４】
また、部品の一部を落とし込んで支持するための凹部は、配線基板の盤面１７ａの略中央部分に形成した穴ではなく、配線基板の端面を一部分切除することにより形成した切欠き状の凹部で構成してもよい。
【０１２５】
配線基板１７の表裏にわたり配置される回路部品１６は、バラスト巻線１６ｂとしたが、電解コンデンサ１６ａでもよく、さらに他の小形化に支障となる回路部品に代えてもよい。
【０１２６】
また、ケース１２は、図８に、（ａ）で示される蛍光ランプを、（ｂ）に示すように分割した状態を示すように、第１のケース１２ａは舟底状の底面を有する箱体で構成し、第２のケース１２ｂを縦断面が略コ字状の蓋体をなして構成し、側面視で第１、第２のケースが略Ｌ字状をなす形状に分割して構成してもよい。
【０１２７】
さらに、図９に、（ａ）で示される蛍光ランプを、（ｂ）に示すように分割した状態を示すように、第２のケース１２ｂを、筒状の箱体をなす蓋体部分１２ｂ'と、発光管を支持する側壁部分１２ｂ''とに、さらに分割して構成してもよい。
【０１２８】
また、上記のようにケース１２を複数に分割した場合、電気端子部１４、１４は配線基板１７を収容する第１のケース１２ａに設け、発光管１１の支持部は蓋体となる第２のケース１２ｂに設けるとよい。さらに電気端子部１４、１４及び発光管１１の支持部の双方を第２のケース１２ｂに設けるようにしてもよい。
【０１２９】
配線基板１７の出力側となる端部１７ｃは、細管チップ１１ｃ、１１ｃの上面に載せて構成したが、配線基板１７の端部１７ｃを細管チップ１１ｃ、１１ｃの下面に対向させ、上下に間隔を有して導出された一対のリードワイヤー１１ｄ、１１ｄの根本の間に挿入するようにして構成してもよい。
【０１３０】
電気端子部である端子ピン１４、１４と、配線基板１７の入力端子部とをワイヤー１７ｅ、１７ｅを用いた半田付けで接続したが、半田レスとなしたプラグイン方式で構成し、配線作業の作業性を向上させるようにしてもよい。
【０１３１】
すなわち、図１０に示すように、第１のケース１２ａの端子ピンを支持する部分を一端が開放した円筒体からなるソケット１８に構成し、端子ピンとしてソケット１８の端面から外面に突出する一対の凸形ピン１４ａとソケットの内側に突出させた一対の凹形ピン１４ｂで構成し、配線基板１７の入力側には、入力端子部に接続された一対の凸ピン１４ｃを突出させて設ける。
【０１３２】
配線基板と端子ピンの接続作業に当たっては、配線基板１７をソケット１８に挿入して一対の凸ピン１４ｃを、ソケット１８の内側に突出させた一対の凹形ピン１４ｂに差し込めばよく、いわゆるプラグイン方式で、半田付けの作業なしで簡単に配線作業が行える。
【０１３３】
また、電気端子部である端子ピンは、合成樹脂からなるケースに一体に埋め込み成形して構成したが、図１１に示すように、ソケットの凸、凹の端子ピン１４ａ、１４ｂを省略して、ソケットの端面に一対の小孔１４ｄ、１４ｄを形成し、配線基板１７の一対の凸ピン１４ｃを直接ソケットの小孔１４ｄ、１４ｄに貫通させ、ソケットの端面から突出させるようにして、より一層構成を単純化させるようにしてもよい。
【０１３４】
さらに本実施形態は、コンパクト形の蛍光ランプとして構成したが、電球形の蛍光ランプとして構成してもよい。
【０１３５】
照明器具は店舗等の施設用、業務用の照明器具に限らず、一般家庭用の照明器具でもよく、さらに屋内用、屋外用等全ての照明器具に適用可能である。
【０１３６】
本実施形態によれば、部品の一部を落とし込んで支持するための凹部として、配線基板の盤面１７ａの略中央部分に貫通して形成した設置穴１７ｂとなし、この設置穴１７ｂにバラスト巻線１６ｂの一部分である下方の部分を落とし込んで挿入し支持したので、比較的高さ寸法の大きなバラスト巻線１６ｂであっても、配線基板の盤面１７ａから上方に突出する寸法が少なくなり、第１のケース１２ａの高さ寸法を小さくでき、ケース１２全体の薄型化をなすことができる。
【０１３７】
また、回路部品１６の内、高さ寸法の比較的大きな部品である平滑用の電解コンデンサ１６ａは、その端子が配線基板１７の端部に垂直方向に実装した後に略直角に折り曲げ、横にして第１のケース１２ａに形成されたガイド突起部１５内面の空間部１５ａを利用して収納するようにしたので、背の高い電解コンデンサがケース自体の薄型化に支障となることがなくなり、上記の構成と相まって、より一層の薄型化を達成することができる。
【０１３８】
また、配線基板１７は、盤面１７ａが発光管軸線方向ａに略平行になるように配置しているので、発光管１１とケース１２が長手方向に連続した構成となり、より一層の薄型化を達成した蛍光ランプを提供することができる。
【０１３９】
バラスト巻線１６ｂは、予め逆Ｌ字状に屈曲された端子１６ｃを利用し、その垂直部分を配線基板１７の端子部分に挿入して実装するようにしたので、格別の支持部材を必要とすることなく簡単な構成で設置穴１７ｂ内に支持することができる。
【０１４０】
さらに、配線基板１７の出力側となる端部１７ｃは、細管チップ１１ｃ、１１ｃの上面、または下面に配置して、上下に間隔を有して導出された一対のリードワイヤー１１ｄ、１１ｄの根本の間に挿入して設置したので、配線基板１７の端部１７ｃが、発光管１１の細管チップ１１ｃ、１１ｃの先端部より封止部１１ｂ、１１ｂ側に配置され、配線基板１７の長手方向への突出長が短くなり、発光管１１とケース１２を含めた長手方向の寸法が長くならないように構成することができる。
【０１４１】
さらに、一対のリードワイヤー１１ｄ、１１ｄが、配線基板１７を挟んで配線基板の盤面１７ａに上下に隔離され、各リードワイヤー間の電気絶縁を施すようにしたので、簡単な構成で確実に電気絶縁処理を行うことができる。
【０１４２】
発光管１１を点灯するための点灯装置１３は蛍光ランプ１０が内蔵し、照明器具２０には高価な点灯装置を設置する必要がなく、照明器具としては比較的安価な本体ケース２１、反射体２２、ソケット２３等の部品で構成することができ、コストを低減した安価な照明器具を提供することができる。
【０１４３】
さらに、発光に寄与しない蛍光ランプのケース部分を小形にしたので、器具に組み込んだ場合に暗部が形成され難くなり、照度分布が均一化された照明器具を提供することができる。
【０１４４】
以上、本発明の好適な実施形態を説明したが、本発明は上述の各実施形態に限定されることなく、本発明の要旨を逸脱しない範囲内において、種々の設計変更を行うことができる。
【図面の簡単な説明】
【０１４５】
【図１】本発明の第一の実施形態である蛍光ランプを、一部を開放して示した斜視図。
【図２】同じく一部を切り欠いて示す正面図。
【図３】同じく図２のＡ−Ａ線に沿う断面図。
【図４】同じく図２のＢ−Ｂ線に沿う断面図。
【図５】従来と本実施形態におけるケースの大きさ比較するための説明図で、（ａ）は従来例、（ｂ）は本実施形態である。
【図６】本発明の第一の実施形態である照明器具を概略的に示した断面図。
【図７】本実施形態の変形例である蛍光ランプの要部を示す断面図。
【図８】本実施形態の他の変形例である蛍光ランプ示し、（ａ）は蛍光ランプの側面図、（ｂ）は蛍光ランプを（ａ）の状態から分割した状態を示す側面図。
【図９】本実施形態のさらに他の変形例である蛍光ランプ示し、（ａ）は蛍光ランプの側面図、（ｂ）は蛍光ランプを（ａ）の状態から分割した状態を示す側面図。
【図１０】本実施形態のさらに他の変形例である蛍光ランプの電気端子部を、一部を切り欠いて概略的に示す説明図。
【図１１】本実施形態のさらに他の変形例である蛍光ランプの電気端子部を、一部を切り欠いて概略的に示す説明図。
【符号の説明】
【０１４６】
１０    蛍光ランプ
１１    発光管
１１ａ  電極
１２    ケース
１４    電気端子部
１６    回路部品
１７    配線基板
１７ｂ  凹部
【図１】
2006173030.tif 000003
【図２】
2006173030.tif 000004
【図３】
2006173030.tif 000005
【図４】
2006173030.tif 000006
【図５】
2006173030.tif 000007
【図６】
2006173030.tif 000008
【図７】
2006173030.tif 000009
【図８】
2006173030.tif 000010
【図９】
2006173030.tif 000011
【図１０】
2006173030.tif 000012
【図１１】
2006173030.tif 000013